【手続補正書】
【提出日】平成28年7月21日(2016.7.21)
【手続補正１】
【補正対象書類名】特許請求の範囲
【補正対象項目名】全文
【補正方法】変更
【補正の内容】
【特許請求の範囲】
【請求項１】
食品を加熱するためのパッケージであって、板紙材料及びマイクロ波エネルギー相互作用材料を具備するパッケージであり、該パッケージは、
第１の側壁及び第１の底壁を有する第１の容器であって、該第１の側壁及び該第１の底壁は協働して第１の内部空間を形成する、第１の容器と、
前記第１の内部空間内に受け入れられる第２の容器であって、第２の側壁及び第２の底壁を有し、該第２の側壁及び該第２の底壁は協働して第２の内部空間を形成し、該第２の内部空間は前記第１の内部空間の一部を構成する、第２の容器と、
を具備し、
前記第２の底壁は、前記第１の底壁から間隔を空けて配置され、それにより、第１の製品を受け入れる、前記第２の底壁の下方の第１のコンパートメントと、第２の製品を受け入れる、前記第２の底壁の上方の第２のコンパートメントとを少なくとも部分的に画定し、前記第２の底壁は、蒸気が前記第１のコンパートメントから前記第２のコンパートメントに進むのを可能にする少なくとも１つの通気口を有する、パッケージ。
【請求項２】
前記第１のコンパートメントは、前記第１の底壁によって支持される前記パッケージ内の加熱される蒸気源を受け入れるためのものであり、前記第２のコンパートメントは、前記第２の底壁によって支持される前記パッケージ内の加熱される食品を受け入れるためのものである、請求項１に記載のパッケージ。
【請求項３】
前記第２の側壁の少なくとも一部は、前記第１の側壁から間隔を空けて配置されている、請求項１に記載のパッケージ。
【請求項４】
前記第２の容器は、前記第１の内部空間内で前記第２の容器を位置決めする位置決め機構を備える、請求項１に記載のパッケージ。
【請求項５】
前記位置決め機構は、前記第２の側壁の頂部に、前記第１の容器の機構と係合するフランジを含む、請求項４に記載のパッケージ。
【請求項６】
前記第１の容器の前記機構は、前記第１の側壁における窪みを含む、請求項５に記載のパッケージ。
【請求項７】
前記第１の容器の前記機構は、前記第１の側壁の頂部に位置するフランジである、請求項５に記載のパッケージ。
【請求項８】
前記位置決め機構は、前記第２の底壁の下方に延在する前記第２の側壁の下方部分を含み、前記第２の側壁の前記下方部分は、前記第１の容器の前記第１の底壁と接触している、請求項４に記載のパッケージ。
【請求項９】
前記位置決め機構は、前記第２の底壁の下方に延在する前記第２の側壁の下方部分を含み、前記第２の側壁の前記下方部分は、前記第１の容器の前記第１の底壁の支持体と接触している、請求項４に記載のパッケージ。
【請求項１０】
前記パッケージは、前記第１の内部空間内に受け入れられる第３の容器を更に具備し、該第３の容器は、第３の側壁及び第３の底壁を有し、該第３の側壁及び該第３の底壁は協働して第３の内部空間を形成し、該第３の内部空間は前記第１の内部空間の一部を構成し、
前記第３の底壁は、前記第２の底壁から間隔を空けて配置され、第３の製品を受け入れる前記第３の底壁の上方の第３のコンパートメントを少なくとも部分的に画定する、請求項１に記載のパッケージ。
【請求項１１】
前記パッケージは、前記第１の内部空間内に受け入れられる第４の容器を更に具備し、該第４の容器は、第４の側壁及び第４の底壁を有し、該第４の側壁及び該第４の底壁は協働して第４の内部空間を形成し、該第４の内部空間は前記第１の内部空間の一部を構成し、
前記第４の底壁は、前記第３の底壁から間隔を空けて配置され、第４の製品を受け入れる前記第４の底壁の上方の第３の上部コンパートメントを少なくとも部分的に画定する、請求項１０に記載のパッケージ。
【請求項１２】
前記マイクロ波エネルギー相互作用材料は、マイクロ波エネルギーを吸収し前記第１の製品に熱を与えて前記パッケージ内で蒸気を生成する、前記第１の底壁のサセプタを含む、請求項１に記載のパッケージ。
【請求項１３】
前記マイクロ波エネルギー相互作用材料は、マイクロ波エネルギーを前記第１の製品に向けて前記パッケージ内で蒸気を生成する、前記第１の底壁のアンテナパターンを含み、前記マイクロ波エネルギー相互作用材料は、マイクロ波エネルギーを検出するため前記底壁上にシールドを備え、板紙が燃焼するのを防止する、請求項１２に記載のパッケージ。
【請求項１４】
前記シールドは、中央開口部を含む環状部分を備え、前記アンテナパターンは前記中央開口部内に位置し、前記サセプタは前記アンテナパターンと前記シールドとの間の空間において前記中央開口部に位置する、請求項１３に記載のパッケージ。
【請求項１５】
前記シールドは下部シールドであり、前記マイクロ波エネルギー相互作用材料は、前記第１の側壁に上部シールドを更に備え、該上部シールドは、マイクロ波エネルギーを前記第１の底壁に向けるように構成されている、請求項１３に記載のパッケージ。
【請求項１６】
前記第２の底壁は、蒸気が前記第１のコンパートメントから前記第２のコンパートメントに進むのを可能にする少なくとも１つの通気口を備える、請求項１に記載のパッケージ。
【請求項１７】
前記パッケージは、前記第１の内部空間を閉鎖するカバーを更に具備し、前記蓋は、マイクロ波エネルギーに対して少なくとも部分的に透過性である、請求項１に記載のパッケージ。
【請求項１８】
前記カバーは、該カバーを貫通するマイクロ波エネルギーの量を制御する少なくとも１つの改善具を備える、請求項１７に記載のパッケージ。
【請求項１９】
食品を加熱するためのパッケージを形成する方法であって、該パッケージは板紙材料及びマイクロ波相互作用材料を備える、方法であり、
第１の側壁及び第１の底壁を有する第１の容器を取得することであって、該第１の側壁及び該第１の底壁は協働して第１の内部空間を形成することと、
第２の側壁及び第２の底壁を有する第２の容器を取得することであって、該第２の側壁及び該第２の底壁は協働して第２の内部空間を形成することと、
前記第１の容器内に前記第２の容器を配置することであって、前記第２の内部空間は前記第１の内部空間の一部を構成し、前記第２の底壁は前記第１の底壁から間隔を空けて配置され、それにより、第１の製品を受け入れる、前記第２の底壁の下方の第１のコンパートメント、及び第２の製品を受け入れる、前記第２の底壁の上方の第２のコンパートメントを少なくとも部分的に画定し、前記第２の底壁は、蒸気が前記第１のコンパートメントから前記第２のコンパートメントに進むのを可能にする少なくとも１つの通気口を有することと、
を含む方法。
【請求項２０】
前記第１のコンパートメント内に、加熱される蒸気源を配置することと、前記第２のコンパートメント内に加熱される食品を配置することとを更に含む、請求項１９に記載の方法。
【請求項２１】
前記第２の容器は位置決め機構を備え、前記第２の容器を配置することは、前記第１の内部空間内で前記第２の容器を位置決めするように前記位置決め機構を係合させることを含む、請求項１９に記載の方法。
【請求項２２】
前記位置決め機構は、前記第２の側壁の頂部にフランジを備え、前記位置決め機構を係合させることは、前記第１の側壁の窪み内に前記フランジを係合させることを含む、請求項２１に記載の方法。
【請求項２３】
前記位置決め機構は、前記第２の側壁の頂部にフランジを備え、前記位置決め機構を係合させることは、前記第２の容器の前記フランジを前記第１の側壁の頂部に位置する前記第１の容器のフランジと係合させることを含む、請求項２１に記載の方法。
【請求項２４】
前記位置決め機構は、前記第２の底壁の下方に延在する前記第２の側壁の下方部分を備え、前記第１の容器内に前記第２の容器を配置することは、前記下方部分を前記第１の容器の前記第１の底壁と接触させることを含む、請求項２１に記載の方法。
【請求項２５】
前記位置決め機構は、前記第２の底壁の下方に延在する前記第２の側壁の下方部分を備え、前記第１の容器内に前記第２の容器を配置することは、前記下方部分を前記第１の容器の前記第１の底壁のフランジと接触させることを含む、請求項２１に記載の方法。
【請求項２６】
第３の側壁及び第３の底壁を有する第３の容器を取得することであって、該第３の側壁及び該第３の底壁は協働して第３の内部空間を形成することと、
前記第１の容器内に前記第３の容器を配置することであって、前記第３の内部空間は前記第１の内部空間の一部を構成し、前記第３の底壁は前記第２の底壁から間隔を空けて配置され、それにより、第３の製品を受け入れる、前記第３の底壁の上方の第３のコンパートメントを少なくとも部分的に画定することと、
を更に含む、請求項１９に記載の方法。
【請求項２７】
第４の側壁及び第４の底壁を有する第４の容器を取得することであって、該第４の側壁及び該第４の底壁は協働して第４の内部空間を形成することと、
前記第１の容器内に前記第４の容器を配置することであって、前記第４の内部空間は前記第１の内部空間の一部を構成し、前記第４の底壁は前記第３の底壁から間隔を空けて配置され、それにより、第４の製品を受け入れる、前記第４の底壁の上方の第４のコンパートメントを少なくとも部分的に画定することと、
を更に含む、請求項２６に記載の方法。
【請求項２８】
食品を加熱するためのパッケージであって、前記第２の側壁は、前記第１の底壁と接触している底部分を有し、前記第２の底壁は、該底部分の上方に間隔を空けて配置されている、請求項１に記載のパッケージ。
【請求項２９】
食品を加熱するためのパッケージであって、前記第３の底壁は、蒸気が前記第２のコンパートメントから前記第３のコンパートメントに進むのを可能にする少なくとも１つの通気口を有し、前記第３のコンパートメントは、前記第３の底壁によって支持される該パッケージ内の加熱される第２の食品を受け入れるためのものである、請求項１０に記載のパッケージ。
【請求項３０】
前記第２の側壁の少なくとも一部は、前記第１の側壁と正面接触し、前記第３の側壁の少なくとも一部は、前記第２の側壁と正面接触している、請求項２９に記載のパッケージ。
【請求項３１】
前記第１の容器は、前記第１の側壁の頂部に第１のフランジを備え、前記第２の容器は、前記第２の側壁の頂部に第２のフランジを備え、該第２のフランジは、前記第１の容器内で前記第２の容器を位置決めするように前記第１のフランジと正面接触し、前記第３の容器は、前記第３の側壁の頂部に第３のフランジを備え、該第３のフランジは、前記第２の容器内で前記第３の容器を位置決めするように前記第２のフランジと正面接触している、請求項３０に記載のパッケージ。
【請求項３２】
前記第１の底壁は該第１の底壁に第１の支持体を備える、第１の容器と、該第２の側壁は前記第１の支持体と接触する底部分を有し、前記第２の底壁は該底部分の上方に間隔を空けて配置されている、前記第２の容器は第２の支持体を備え、該パッケージは、前記第１の内部空間内に受け入れられる第３の容器であって、第３の側壁及び第３の底壁を有し、該第３の側壁及び該第３の底壁は全て協働して第３の内部空間を形成し、該第３の内部空間は前記第１の内部空間の一部を構成し、前記第３の底壁は前記第２の底壁から間隔を空けて配置され、それにより第３のコンパートメントを少なくとも部分的に画定する、第３の容器を更に具備する、請求項１に記載のパッケージ。
【請求項３３】
前記第３の容器は第３の支持体を備え、前記第３の側壁は底部分を備え、前記第３の支持体は前記第２の支持体と係合し、前記第３の側壁の前記底部分は、前記第１の内部空間内で前記第３の容器を位置決めするように前記第２の容器の前記第２の側壁と係合し、第４の容器であって、第４の側壁及び第４の底壁を有し、該第４の側壁及び該第４の底壁は協働して第４の内部空間を形成し、該第４の内部空間は前記第１の内部空間の一部を構成し、前記第４の底壁は前記第３の底壁から間隔を空けて配置され、それにより第４のコンパートメントを少なくとも部分的に画定する、第４の容器を更に具備し、前記第４の容器は第４の支持体を備え、前記第４の側壁は底部分を備え、前記第４の支持体は前記第３の支持体と係合し、前記第４の側壁の前記底部分は、前記第１の内部空間内で前記第４の容器を位置決めするように前記第３の容器の前記第３の側壁と係合する、請求項３２に記載のパッケージ。
【請求項３４】
電子レンジにおいてパッケージ内の食品を加熱する方法であって、電子レンジ内で前記パッケージを加熱することであって、それにより、前記第１のコンパートメント内で蒸気が生成され、前記第２の底壁の前記通気口を通って前記第２のコンパートメントまで循環し、それにより、前記食品が前記蒸気及びマイクロ波エネルギーによって加熱されることを更に含む、請求項２０に記載の方法。
【請求項３５】
前記第１の容器内に前記第２の容器を配置することは、前記第２の側壁を前記第１の底壁の支持体と係合させることを含む、請求項３４に記載の方法。
【請求項３６】
前記第３のコンパートメント内に食品を配置することと、前記第４のコンパートメント内に食品を配置することとを更に含む、請求項２７に記載の方法。
【請求項３７】
前記第１の容器は、前記第１の底壁にマイクロ波エネルギーを吸収するサセプタを備え、前記パッケージを加熱することは、該サセプタからの熱を前記第１の製品に与えて前記パッケージ内で蒸気を生成することを含み、前記第１の容器は、前記第１の底壁にアンテナパターンを備え、前記パッケージを加熱することは、前記アンテナパターンからのマイクロ波エネルギーを前記第１の製品に向けて前記パッケージ内で蒸気を生成することを含む、請求項３４に記載の方法。
【請求項３８】
前記第２の底壁はマイクロ波相互作用材料を備え、前記パッケージを加熱することは、前記マイクロ波相互作用材料を用いて前記食品を加熱することを含む、請求項３４に記載の方法。